(57)【要約】      （修正有）【課題】高所部分に対する作業に用いるアタッチメント接続のための安全な接続部材を提供する。【解決手段】筒体を主要部とした接続部材本体１を設け、その一端に接続部２を形成し、他端近傍位置において、筒体の外側面適所に貫通孔３を設けるとともに、貫通孔の露出と非露出を選択可能とするために、その外周の一部を所定巾にて切除してなる回動環体６を筒体所定位置に嵌装し、回動環体の位置制限のためのガイド環５を、回動環体の両端側位置に近接させて筒体に固定し、一方、筒体内側面適所に筒体長手方向に延びる線状凸部を設けたことを特徴とする。【選択図】図１
0003184527.tif 000002
【実用新案登録請求の範囲】
【請求項１】
筒体を主要部とした接続部材本体を設け、該部材本体の一端に任意形状の接続部を形成し、他端近傍位置において、上記筒体の外側面適所に貫通孔を設けるとともに、該貫通孔の露出と非露出を選択可能とするために、その外周の一部を所定巾にて切除してなる回動環体を筒体所定位置に嵌装し、該回動環体の位置制限のためのガイド環を、回動環体の両端側位置に近接させて筒体に固定し、一方、筒体内側面適所に筒体長手方向に延びる線状凸部を設けたことを特徴とするアタッチメント接続用部材。
【請求項２】
回動環体表面に、多数の環状凸部を連設してなる請求項１記載のアタッチメント接続用部材。
【請求項３】
接続部材端近傍内面に、筒体長手方向に延びる所定巾の傾斜面を形成してなる請求項１または２記載のアタッチメント接続用部材。
【考案の詳細な説明】
【技術分野】
【０００１】  この考案は、伸縮柄端に作業目的に沿ったアタッチメントを取り付ける場合に用いる、アタッチメント接続用の部材に関する。
【背景技術】
【０００２】  従来より、種々の接続用部材が利用されているが、本案にて示すように、切除部分を有する回動可能な環体を有するものは見あたらない。
【考案の概要】
【考案が解決しようとする課題】
【０００３】  高所個所に対する作業、例えば二階の窓外面の清掃時などには、三段伸縮柄の先にＴ型ワイパー等を取り付けて、路上から拭き取り清掃作業を行うことがある。
この伸縮柄とＴ型ワイパーとの接続手段として、接続用部材が必要である。一般には、この接続用部材部分とワイパー部分とが一体となったものが多用されている。
この接続用部材の一端は略筒状に形成され、他端はワイパー部分である。該筒状部分の上下側面には長穴が穿設されている。一方、伸縮柄の先端近傍には、上記長穴内に収容可能なサイズ形状のボタン状突起部分が突設されているが、この突起部分は柄内に装備されたスプリングの復帰弾力にて常に外方突出力が働いている。つまり外方からの押圧にてこの突起部分は柄内に一時的に収容可能である。従って、前記の接続部分を柄先端にかぶせて押し込むことにて、突起部分は柄内に引っ込むが、長穴部分が突起部分にさしかかると、外部押圧から解放されて、柄側面より突出し、柄に接続部が一時的に離脱不能に固定される。【０００４】  この状態にて高所作業が可能となる。柄からワイパー等を取り外すときは、指で前記突起部分を押し込んでワイパーを引くと、ワイパー部分の離脱を妨げるものがないために、容易にワイパー等を柄から取り外すことができる。
しかしながら、例えば作業中に何かの突起物がこの突起部分に触れて押圧することが起きると、柄からワイパー等が不用意に外れて落下する危険が想定されるのである。
しかしこの状態を回避する有力な手段が見つからないのが現状である。
本案は以上に鑑み、上記突起部分を人為的操作にて覆う手段を設けることにより、高所作業等を安全に行うための新規かつ有用なる部材を提供することを目的として開発されたものである。
【課題を解決するための手段】
【０００５】  課題を解決する手段として本案は以下の構成とした。
すなわち、筒体を主要部とした接続部材本体を設け、該部材本体の一端に任意形状の接続部を形成し、他端近傍位置において、上記筒体の外側面適所に貫通孔を設けるとともに、該貫通孔の露出と非露出を選択可能とするために、その外周の一部を所定巾にて切除してなる回動環体を筒体所定位置に嵌装し、該回動環体の位置制限のためのガイド環を、回動環体の両端側位置に近接させて筒体に固定し、一方、筒体内側面適所に筒体長手方向に延びる線状凸部を設ける。本案は以上の構成よりなるアタッチメント接続用部材である。
【考案の効果】
【０００６】  本案によれば、柄に対するアタッチメントの着脱について、装着操作部分の人為的選択操作による保護が可能となって、作業中の不用意なアタッチメントの離脱落下を防止することができて、使用者の安全と保護に寄与しうる有用なる物品を得ることができる。
また、その操作も容易であるとともに、制作上の不利もない新規かつ有用なる手段を提供することができる。
【図面の簡単な説明】
【０００７】
【図１】  本考案の平面図
【図２】  本考案の正面図
【図３】  本考案の左側面図
【図４】  Ａ−Ａ断面図
【図５】  本考案の回動環体の回動状態図（貫通孔閉塞）
【図６】  本考案の要部変化例図
【図７】  本考案の要部変化例図
【図８】  本考案の要部変化例図
【図９】  伸縮柄の正面図（略示・市販品）
【図１０】  伸縮柄の左端構成拡大説明図
【図１１】  本考案に用いるアタッチメント例図（伸縮柄装着状態）
【図１２】  本考案に用いるアタッチメント例図（伸縮柄装着状態・全体図）
【考案を実施するための最良の形態】
【０００８】  以下、本考案の実施形態について説明する。
図において、１は接続部材本体である。この接続部材本体は合成樹脂製であり、略筒状部を主要部として形成され、図上、正面視においてその右端は二股部に形成された接続部２を有している。平面視において右端寄りの位置に略長穴状の貫通孔３が穿設されて、筒状部の上面と下面とに穿孔されている。４および５はガイド環で、接続部材本体に設けた貫通孔の両脇に覆設固着される所定巾の環体である。
６は回動環体で、適度の弾性を有する環体の外周の一部を切除した合成樹脂体であって、その切除巾は前記貫通孔巾より大である。また、この回動環体の巾は前記のガイド環双方間距離よりわずかに小さい。この回動環体は双方のガイド環の間にて、接続部材本体外面に回動可能に装着される。従って、この回動環体の人為的回動によって、双方の貫通孔の露出と非露出との選択が可能である。【０００９】  接続部材本体の内部には図４にて示すように、筒状部長手方向に延びる線状凸部７が上下に対向して本体と一体形成され、その位置は前記貫通孔近傍から内奥に向かって所定の距離である。８はガイド斜面で、接続部材本体左端内面から所定距離内奥に向かって所定の角度にて切除された所定巾の斜面であって、該部材本体の内面上下に対向して各々設けられる。９は該部材本体の外面適所に連設される所定巾凹部による滑り止めのための線状溝である。なお、接続部材本体内部には有孔の仕切り壁１０が一体形成され、該部材本体左端外面は少しラッパ状に開いて形成される。【００１０】  本案の使用に際しては、まずアタッチメントを接続部材に取り付ける。例示では、金属鋸２０を示している。既例の接続部材本体の右方は二股形状となっている。一方、金属鋸の根本は所定厚の鋼板である。従って、この両者を結びつけるための部材が別途必要である。本例ではスリットを有する木片２１を用いている。すなわち、二股部分に収まる形状サイズとしての直方体木板にスリットおよび貫通孔を設け、金属鋸にも根本部分に貫通孔を設け、この根本部分を木片のスリットに挿入して各々の孔を一致させ、ビス、ボルト、ナットを用いて木片と金属鋸とを固定する。また、接続部材本体適所にも貫通孔を穿設し、木片を該接続部材にボルトとナットにて固定する。以上にて、金属鋸と木片および接続部材本体の三者が互いに固定される。【００１１】  次に、この金属鋸を取り付けた接続部材本体を、市販の伸縮柄３０に装着する。この伸縮柄は各々直径の異なる所定長の中空棒体を互いに挿入可能として伸縮する機能を持たせたもので、回動式のストッパーにて任意長の選択固定が可能となっている。
この伸縮柄の先端近傍は、柄に設けた孔を介して側方にボタン状の可動突起３１が突設され、柄内のスプリングにて常に外方に向けて付勢されている。さらに、柄先端からこの突起部分近傍に至る線状凹部３２が上下に対向して設けられている。
アタッチメントしての金属鋸を取り付けた接続部材本体端を伸縮柄先端にあてがい、貫通孔３の方向と突起部分の方向とを一致させて、この接続部材を伸縮柄に押し込む。
すると、まず突起部分は前記のガイド斜面に当接し、その斜面に沿って次第に柄の中に押し込まれていく。また、線状凸部と線状凹部とが一致して、この線状凹部に沿って接続部材本体は進行する。突起部分が貫通孔３の位置に至れば、その押圧から解放されて突起部分は柄側面より突出して貫通孔内に収まる。この状態において、接続部材の厚さがあるので、伸縮柄から接続部材の脱落は防止される。また、線状凸部と凹部との位置関係にて柄に対するアタッチメントの回動は阻止される。【００１２】  次に、回動環体を指で回動させると、双方の貫通孔は閉塞され、外部からこの突起部分を押圧することが不能となるので、アタッチメントの伸縮柄からの不用意な脱落は防止され、安全に作業することができる。なお、回動環体の両側にはガイド環が位置しており、この回動環体の伸縮柄軸芯方向の移動が阻止され、突起部分と貫通孔の確実な閉塞を行うことができる。伸縮柄から接続部材を取り外すには、既述と逆の手順にて容易に行うことができる。
図６〜図８は本案の変化例を示すものである。図６は回動環体の外周面に、環状凸部１１を所定間隔を有して連設したもので、この回動環体を指で回すときの滑り止め効果を増大する効果がある。また、この環状凸部により該環体の補強効果も有している。
図７は回動環体に平行な線状凹部１２を設けたものであり、図８は該環体にクロス状の線状凹部１３を設けたもので、いずれも滑り止め効果をねらったものである。【００１３】  以上、本案について記したが、本案は伸縮柄の先に、作業目的に沿って選定したアタッチメントを安全に取り付けて作業することを目的としたものである。従来方法は既述のように、突起部分がそのまま露出しているので、作業中に不用意にこの突起部分を押圧する事態が生ずると、伸縮柄からアタッチメントが外れて落下する恐れがあったが、本案にてこの危険を回避することが可能となったのである。市販品としては伸縮柄の先に、窓ガラス清掃のためのワイパーがアタッチメントとして売られている。このアタッチメントは記述の接続部材本体構造を含むものである。長尺の柄を用いて行う屋外作業としては、窓ふき以外にも種々存在しており、例えば雪庇切りもその一つである。
雪国では家の屋根に堆積した雪が時間の経過とともに、軒先から曲線状に張り出す、いわゆる雪庇が発生する。これを放置しておくと、いずれのときにか分割落下する恐れがあるために、時々、この雪庇を人為的に落下させる必要が生ずるのである。
しかし、この雪庇を切って落とすための専用の用具が無く、本案はこの雪庇対策用として、従来品の活用として発案されたものである。既述のワイパーではその重量も比較的軽いため、危険度は高くないと思われるが、雪庇切りは金属鋸を用いるので、より一層の作業安全対策が必要であり、その目的に沿ったものとして、今回の発案に至ったのである。
なお、記述例では接続部を二股形状としたが、これに限らず任意他形状の接続部としてもよい。以上のごとく、本案によって、安全に高所部分に対する作業を行うための補助的な用具を得ることができる。
【符号の説明】
【００１４】  １  接続部材本体
２  接続部
３  貫通孔
４  ガイド環
５  ガイド環
６  回動環体
７  線状凸部
８  ガイド斜面
９  線状溝
１０  仕切り壁
１１  環状凸部
１２  線状凹部
１３  クロス状線状凹部
２０  金属鋸
２１  木片
３０  伸縮柄
３１  可動突起
３２  線状凹部
【図１】
0003184527.tif 000003
【図２】
0003184527.tif 000004
【図３】
0003184527.tif 000005
【図４】
0003184527.tif 000006
【図５】
0003184527.tif 000007
【図６】
0003184527.tif 000008
【図７】
0003184527.tif 000009
【図８】
0003184527.tif 000010
【図９】
0003184527.tif 000011
【図１０】
0003184527.tif 000012
【図１１】
0003184527.tif 000013
【図１２】
0003184527.tif 000014